(57)【特許請求の範囲】
【請求項１】
乗りかご内部を冷房可能なエレベータ用空調装置であって、
内部機器を収容する筐体と、
前記筐体の底板側に設けられ、前記筐体内で発生するドレン水を集溜するドレンパンと、
前記ドレン水を蒸散させる蒸散機とを備え、
前記筐体の側板の一部はドレンパン固定板で構成され、かつ、このドレンパン固定板の一端は蝶番を介して回転可能に支持されて扉状に構成され、この扉状のドレンパン固定板に前記ドレンパン及び前記蒸散機が着脱可能に取り付けられていることを特徴とするエレベータ用空調装置。
【請求項２】
前記ドレンパンには、前記ドレン水を前記ドレンパン内から流出可能なドレン水流出手段が設けられていることを特徴とする請求項１に記載のエレベータ用空調装置。
【請求項３】
前記ドレンパンが前記筐体に収容されているか否かを検知する検知手段を備えることを特徴とする請求項１又は請求項２に記載のエレベータ用空調装置。
【発明の詳細な説明】
【技術分野】
【０００１】
本発明は、乗りかご内部を冷房可能なエレベータ用空調装置に関し、特に、ドレンパンや蒸散機のメンテナンスを容易に行うことができるエレベータ用空調装置に関する。
【背景技術】
【０００２】
従来から、エレベータ装置を構成するゴンドラ（以下、乗りかご）には、乗りかご内部を冷房可能なエレベータ用空調装置が設けられている。このエレベータ用空調装置では、冷房運転時に蒸発器で熱交換される空気の露点が低下して水分が凝縮して、ドレン水が発生する。
【０００３】
このドレン水は、蒸発器等の内部機器の下側に設けられるドレンパンに集溜される。そして、ドレンパンに集溜されたドレン水を蒸散させる蒸散機で該ドレン水を蒸散させることによって、熱交換の効率を向上させる技術が知られている（例えば、特許文献１参照）。
【０００４】
ところで、エレベータ用空調装置では、外部の空気を循環させているために、チリやホコリがドレンパンや蒸散機に堆積することがある。このため、定期的に、エレベータ用空調装置の点検や清掃等のメンテナンスが必要である。
【特許文献１】特開平７−２４８１２８号公報（第２頁−第３頁、第１図）
【発明の開示】
【発明が解決しようとする課題】
【０００５】
しかしながら、従来のエレベータ用空調装置では、ドレンパンや蒸散機が内部機器の下側に設けられていることで、該内部機器を１度取り外してから、ドレンパンや蒸散機のメンテナンスを行う必要があった。
【０００６】
特に、エレベータ用空調装置が乗りかごの天井側に設けられているため、該エレベータ用空調装置自体を乗りかごから取り外し、その後に、内部機器を取り外してから、ドレンパンや蒸散機のメンテナンスを行う必要がある。
【０００７】
そこで、本発明は、このような状況に鑑みてなされたものであり、ドレンパンや蒸散機のメンテナンスを容易に行うことができるエレベータ用空調装置を提供することを目的とする。
【課題を解決するための手段】
【０００８】
本発明は、乗りかご内部を冷房可能なエレベータ用空調装置であって、内部機器を収容する筐体と、前記筐体の底板側に設けられ、前記筐体内で発生するドレン水を集溜するドレンパンと、前記ドレン水を蒸散させる蒸散機とを備え、前記筐体の側板の一部はドレンパン固定板で構成され、かつ、このドレンパン固定板の一端は蝶番を介して回転可能に支持されて扉状に構成され、この扉状のドレンパン固定板に前記ドレンパン及び前記蒸散機が着脱可能に取り付けられていることを特徴としている。
【０００９】
かかる特徴によれば、ドレンパン及び蒸散機が筐体から着脱可能に設けられていることによって、エレベータ用空調装置を乗りかごから取り外すことなく、かつ、筐体内から内部機器をも取り外すことなく、ドレンパンや蒸散機のメンテナンスを容易に行うことができる。
【発明の効果】
【００１０】
本発明によれば、ドレンパンや蒸散機のメンテナンスを容易に行うことができるエレベータ用空調装置を提供することができる。
【発明を実施するための最良の形態】
【００１１】
次に、本発明に係るエレベータ用空調装置の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれている。
【００１２】
（エレベータ用空調装置の構成）
まず、本実施の形態に係るエレベータ用空調装置の構成について、図１〜図３を参照しながら説明する。図１は、本実施の形態に係るエレベータ用空調装置が設けられるゴンドラ（以下、乗りかご）を示す斜視図であり、図２は、本実施の形態に係るエレベータ用空調装置を示す断面図であり、図３は、本実施の形態に係るエレベータ用空調装置の内部の概略構成を示す模式図である。
【００１３】
図１に示すように、エレベータ用空調装置１は、乗りかご３内部を冷房可能なものである。なお、乗りかご３は、該乗りかご３内の上側に位置する上部５（天井）と、乗りかご３内の下側に位置する底部７と、上部５及び底部７を連結する複数の側部９と、乗りかご３内に乗員が出入り可能なドア１１と、上部５及びドア１１を連結する幕板１３とによって大略構成されている。
【００１４】
エレベータ用空調装置１は、乗りかご３の側部９の上側にブラケット１５を介してねじ止めされている。このエレベータ用空調装置１は、図２に示すように、上板１７Ａと、底板１７Ｂと、複数の側板１７Ｃとによって構成される筐体１７を備えている。この筐体１７内は、仕切板１７Ｄにより２つの部屋に分割されている。側板１７Ｃにおける正面側には、吸気口１７ａと排気口１７ｂとが形成されている。また、側板１７Ｃにおける背面側には、吸気口１７ｃと排気口１７ｄが形成されている。
【００１５】
筐体１７は、図２及び図３に示すように、複数の内部機器１９を収容する。内部機器１９は、周囲の熱を熱交換して冷却した空気を冷風側ファン２１Ａを介して乗りかご３内へ送り出す蒸発器２１と、冷媒を循環させる圧縮器２３と、蒸発器２１が周囲の熱を吸収できるように冷媒の圧力や温度を下げる減圧装置２５と、蒸発器２１で吸収した熱を排熱側ファン２７Ａを介して筐体１７外へ排出する凝縮器２７と、エレベータ用空調装置１を制御する制御基板（不図示）とによって大略構成されている。
【００１６】
蒸発器２１の下側には、該蒸発器２１（筐体１７内）で熱交換される空気の露点が低下して水分が凝縮して発生するドレン水を受け止めるドレン受け２９Ａが設けられている。このドレン受け２９Ａには、該ドレン受け２９Ａに集溜されたドレン水を案内するホース２９Ｂが連結されている。
【００１７】
筐体１７の底板１７Ｂ側には、ドレン水を集溜するドレンパン３１が設けられている。すなわち、ドレンパン３１は、ドレン受け２９Ａとホース２９Ｂを介して連結されている。このドレンパン３１内には、ドレン水を蒸散させる蒸散機３３が固定されている。
【００１８】
次に、エレベータ用空調装置１の動作について、簡単に説明する。図２及び図３に示すように、エレベータ用空調装置１の冷房運転時には、蒸発器２１、圧縮器２３、減圧装置２５、凝縮器２７からなる冷凍サイクル内を冷媒が循環する。
【００１９】
具体的には、蒸発器２１により筐体１７近傍（外部）の熱を吸収するとともに、凝縮器２７により筐体１７外（昇降路）へ熱を排出する。つまり、冷風側ファン２１Ａが作動していることで、吸気口１７ａから取り入れて蒸発器２１を通過することにより温度が下がった空気が排気口１７ｂを通過して乗りかご３内へ送風される。一方、排熱側ファン２７Ａが作動していることで、吸気口１７ｃから取り入れて凝縮器２７を通過することにより温度が上がった空気が排気口１７ｄを通過して筐体１７外へ送風される。
【００２０】
このとき、蒸発器２１で熱交換される空気の露点が低下して水分が凝縮して発生するドレン水を、ドレン受け２９Ａとホース２９Ｂを介して連結されるドレンパン３１で集溜する。この集溜されたドレン水は、蒸散機３３により蒸散し、凝縮器２７を通過して温度が上がった空気と一緒に排気口１７ｄから筐体１７外へ排出されることとなる。
【００２１】
（ドレンパン近傍の構成）
次に、上述したドレンパン３１近傍の構成について、図４を参照しながら説明する。図４（ａ）は、本実施の形態に係るドレンパン近傍を示す筐体側面図（固定板閉状態）であり、図４（ｂ）は、本実施の形態に係るドレンパン近傍を示す筐体側面図（固定板開状態）である。
【００２２】
図４（ａ）及び図４（ｂ）に示すように、ドレンパン３１及び蒸散機３３は、筐体１７から着脱可能に設けられている。具体的には、ドレンパン３１は、筐体１７の底板１７Ｂの一部を構成するドレンパン固定板３５にネジＮで固定される。
【００２３】
このドレンパン固定板３５は、筐体１７の底板１７ＢにネジＮで固定される。すなわち、図４（ｂ）に示すように、ドレンパン固定板３５を筐体１７の底板１７Ｂに固定するネジＮを緩めて外すことによって、ドレンパン固定板３５に固定されるドレンパン３１を筐体１７から着脱することができる。
【００２４】
ここで、本実施の形態に係るドレンパン固定板３５は、筐体１７の底板１７Ｂの一部を構成するものとして説明したが、必ずしも筐体１７の底板１７Ｂの一部を構成する必要はなく、筐体１７の側板１７Ｃの一部を構成してもよい。
【００２５】
この場合、図５に示すように、筐体１７の側板１７Ｃの一部を構成するドレンパン固定板３５は、筐体１７の側板１７ＣにネジＮで固定される。すなわち、ドレンパン固定板３５を筐体１７の側板１７Ｃに固定するネジＮを緩めて外すことによって、ドレンパン３１を筐体１７から着脱することができる。なお、ドレンパン３１は、図５に示すように、ドレンパン固定板３５に固定されていてもよく、ドレンパン固定板に固定されずに筐体１７の底板１７Ｂに載置されていもよいことは勿論である。
【００２６】
（作用・効果）
従来から、エレベータ用空調装置１では、外部の空気を循環させているために、チリやホコリがドレンパン３１や蒸散機３３に堆積することがある。このため、定期的に、エレベータ用空調装置１の点検や清掃等のメンテナンスが必要であっが、上述したエレベータ用空調装置１によれば、ドレンパン３１及び蒸散機３３が筐体１７から着脱可能に設けられていることによって、エレベータ用空調装置１を乗りかご３から取り外すことなく、かつ、筐体１７内から内部機器１９をも取り外すことなく、ドレンパン３１や蒸散機３３のメンテナンスを容易に行うことができる。
【００２７】
また、ドレンパン３１に蒸散機３３が固定されていることによって、エレベータ用空調装置１からドレンパン３１のみを取り外すだけで、ドレンパン３１のメンテナンスに加えて、蒸散機３３のメンテナンスをも行うことが可能となる。
【００２８】
（変更例１）
上述した実施の形態に係るドレンパン３１は、筐体１７の底板１７Ｂ又は側板１７Ｃの一部を構成するドレンパン固定板３５にネジＮで固定され、該ネジＮを緩めて外すことで筐体１７から着脱可能となるものとして説明したが、以下のように変更してもよい。なお、上述した実施の形態に係るエレベータ用空調装置１と同一部分には同一の符号を付して、相違する部分を主として説明する。
【００２９】
図６（ａ）は、変更例１に係るドレンパン近傍を示す筐体側面図（固定板閉状態）であり、図６（ｂ）は、変更例１に係るドレンパン近傍を示す筐体側面図（固定板開状態）である。
【００３０】
図６（ａ）及び図６（ｂ）に示すように、ドレンパン３１及び蒸散機３３は、筐体１７から着脱可能に設けられている。具体的には、ドレンパン３１は、筐体１７の底板１７Ｂの一部を構成するドレンパン固定板３５にネジＮで固定される。
【００３１】
このドレンパン固定板３５の一端側は、筐体１７からドレンパン３１を回転可能に支持する回転支持手段３７（蝶番）を介して、筐体１７の底板１７Ｂに固定される。また、ドレンパン固定板３５の他端側は、筐体１７の底板１７Ｂに固定されたネジ固定板１７Ｂ’にネジＮで固定される。
【００３２】
すなわち、図６（ｂ）に示すように、ドレンパン固定板３５を筐体１７の底板１７Ｂに固定するネジＮを緩めて外すことによって、ドレンパン固定板３５に固定されるドレンパン３１が回転支持手段３７を介して筐体１７から回転し、該ドレンパン３１を筐体１７から着脱することができる。
【００３３】
ここで、変更例１に係るドレンパン固定板３５は、筐体１７の底板１７Ｂの一部を構成するものとして説明したが、必ずしも筐体１７の底板１７Ｂの一部を構成する必要はなく、筐体１７の側板１７Ｃの一部を構成してもよい。
【００３４】
この場合、図７に示すように、筐体１７の側板１７Ｃの一部を構成するドレンパン固定板３５の一端側は、筐体１７からドレンパン３１を回転可能に支持する回転支持手段３７（蝶番）を介して、筐体１７の側板１７Ｃに固定される。また、ドレンパン固定板３５の他端側は、筐体１７の側板１７Ｃ固定されたネジ固定板１７Ｃ’にネジＮで固定される。
【００３５】
すなわち、ドレンパン固定板３５を筐体１７の側板１７Ｃに固定するネジＮを緩めて外すことによって、ドレンパン固定板３５に固定されるドレンパン３１が回転支持手段３７を介して筐体１７から回転し、該ドレンパン３１を筐体１７から着脱することができる。なお、ドレンパン３１は、図７に示すように、ドレンパン固定板３５に固定されていてもよく、ドレンパン固定板に固定されずに筐体１７の底板１７Ｂに載置されていもよいことは勿論である。
【００３６】
また、変更例１に係る回転支持手段３７（蝶番）は、筐体１７から回転するドレンパン３１の回転角度を制限するロック機構を有していてもよいが、例えば、図８（ａ）及び図８（ｂ）に示すように、ドレンパン固定板３５に、筐体１７から回転するドレンパン３１の回転角度（α）を制限する角度制限手段３９が設けられていてもよい。このドレンパン３１の回転角度（α）は、ドレンパン３１からドレン水が漏れにくくなるように１１０度以下で設定することが好ましい。
【００３７】
この角度制限手段３９は、ドレンパン固定板３５にネジＮで固定される固定部３９Ａと、筐体１７の底板１７Ｂ又は側板１７Ｃと当接する当接部３９Ｂと、固定部３９Ａ及び当接部３９Ｂを連結する連結部３９Ｃとを備えている。
【００３８】
この連結部３９Ｃの高さ（Ｈ）は、ドレンパン３１や蒸散機３３のメンテナンスをしやすくするために、ドレンパン３１の高さ（Ｄ）よりも高く設定される。なお、連結部３９Ｃの高さ（Ｈ）を長く設定すれば、筐体１７から回転するドレンパン３１の回転角度が大きくなり、連結部３９Ｃの高さ（Ｈ）を短く設定すれば、筐体１７から回転するドレンパン３１の回転角度が小さくなる。
【００３９】
（変更例２）
上述した実施の形態に係るドレンパン３１は、筐体１７の底板１７Ｂ又は側板１７Ｃの一部を構成するドレンパン固定板３５にネジＮで固定され、該ネジＮを緩めて外すことで筐体１７から着脱可能となるものとして説明したが、以下のように変更してもよい。なお、上述した実施の形態に係るエレベータ用空調装置１と同一部分には同一の符号を付して、相違する部分を主として説明する。
【００４０】
図９（ａ）は、変更例１に係るドレンパン近傍を示す筐体側面図（固定板閉状態）であり、図９（ｂ）は、変更例１に係るドレンパン近傍を示す筐体側面図（固定板開状態）である。
【００４１】
図９（ａ）及び図９（ｂ）に示すように、ドレンパン３１及び蒸散機３３は、筐体１７から着脱可能に設けられている。具体的には、ドレンパン３１は、筐体１７の底板１７Ｂの一部を構成するドレンパン固定板３５にネジＮで固定される。
【００４２】
このドレンパン固定板３５の両端側は、筐体１７の底板１７Ｂと略平行にドレンパン３１を開閉可能に支持する開閉支持手段４１（スライド構造）を介して、筐体１７の底板１７Ｂに固定される。
【００４３】
すなわち、図９（ｂ）に示すように、開閉支持手段４１のロックを解除してドレンパン固定板３５を筐体１７の底板１７Ｂと略平行にドレンパン３１を筐体１７から引き出すことによって、ドレンパン３１からドレン水が漏れることなく、ドレンパン固定板３５に固定されるドレンパン３１を筐体１７から開閉可能に着脱することができる。
【００４４】
ここで、変更例２に係るドレンパン固定板３５は、筐体１７の底板１７Ｂの一部を構成するものとして説明したが、必ずしも筐体１７の底板１７Ｂの一部を構成する必要はなく、筐体１７の側板１７Ｃの一部を構成してもよい。
【００４５】
この場合、図１０に示すように、ドレンパン固定板３５の両端側は、筐体１７の側板１７Ｃと略平行にドレンパン３１を開閉可能に支持する開閉支持手段４１（スライド構造）を介して、筐体１７の側板１７Ｃに固定される。
【００４６】
すなわち、開閉支持手段４１のロックを解除してドレンパン固定板３５を筐体１７の側板１７Ｃと略平行にドレンパン３１を筐体１７から引き出すことによって、ドレンパン３１からドレン水が漏れることなく、ドレンパン固定板３５に固定されるドレンパン３１を筐体１７から開閉可能に着脱することができる。なお、ドレンパン３１は、図１０に示すように、ドレンパン固定板３５に固定されていてもよく、ドレンパン固定板３５に固定されずに筐体１７の底板１７Ｂに載置されていもよいことは勿論である。
【００４７】
（変更例３）
上述した実施の形態に係るドレンパン３１には、蒸散機３３のみが設けられているものとして説明したが、以下のように変更してもよい。なお、上述した実施の形態に係るエレベータ用空調装置１と同一部分には同一の符号を付して、相違する部分を主として説明する。
【００４８】
図１１は、変更例３に係るドレンパンのみを示す一部斜視図である。図１１に示すように、ドレンパン３１の側面３１Ａには、該ドレンパン３１の側面３１Ａを貫通する貫通孔４３が設けられている。この貫通孔４３には、ドレン水をドレンパン３１内から流出可能なドレン水流出手段４５（ホース）が挿入されている。
【００４９】
すなわち、貫通孔４３にドレン水流出手段４５が挿入していると、筐体１７からドレンパン３１を着脱して該ドレンパン３１や蒸散機３３のメンテナンスの際に、ドレンパン３１が固定されるドレンパン固定板３５を全て取り外すことなく、ドレン水がドレン水流出手段４５から流れ出るため、ドレンパン３１内からドレン水をバケツ等に確実に流し出すことができる（メンテナンスがしやすくなる）。
【００５０】
（変更例４）
上述した実施の形態に係るエレベータ用空調装置１では、ドレンパン３１が筐体１７に収容されたか否かは作業員が目視しなければならなかったが、以下のように変更してもよい。なお、上述した実施の形態に係るエレベータ用空調装置１と同一部分には同一の符号を付して、相違する部分を主として説明する。
【００５１】
図１２は、変更例４に係るドレンパン近傍を示す筐体側面図（固定板閉状態）である。図１２に示すように、筐体１７の底板１７Ｂ又は側板１７Ｃには、ドレンパン３１が筐体１７に収容されているか否かを検知する検知手段４７（スイッチ）が設けられている。この検知手段４７は、筐体１７の底板１７Ｂ（ネジ固定板１７Ｂ’）又は側板１７Ｃ（ネジ固定板１７Ｃ’）に溶接やネジ等で固定される。また、検知手段４７は、押圧されることによりドレンパン３１が筐体１７に収容されているか否かを検知可能なスイッチ部４７ａを少なくとも有している。
【００５２】
すなわち、ドレンパン固定板３５に固定されるドレンパン３１が筐体１７内に収容されると、該ドレンパン固定板３５がスイッチ部４７ａを押圧することによって、検知手段４７は、ドレンパン３１が筐体１７に収容されていることを検知することができ、ドレン水漏れ等を防止することができる。
【００５３】
［その他の実施の形態］
上述したように、本発明の実施の形態を通じて本発明の内容を開示したが、この開示の一部をなす論述及び図面は、本発明を限定するものであると理解すべきではない。
【００５４】
具体的には、ドレンパン３１（蒸散機３３）は、ドレンパン固定板３５に固定されているものとして説明したが、これに限定されるものではなく、筐体１７から着脱可能に設けられていればよく、ドレンパン３１自体が筐体１７の底板１７Ｂや側板１７Ｃに固定されるものであっても勿論よい。
【００５５】
また、ドレンパン３１は、ネジＮでドレンパン固定板３５に固定されているものとして説明したが、これに限定されるものではなく、溶接などドレンパン固定板に固定可能なものであれば何でもよいことは勿論である。同様に、回転支持手段３７や角度制限手段３９、開閉支持手段４１、検知手段４７などが、筐体１７の底板１７Ｂやドレンパン固定板３５などに固定される手段においても、固定可能なものであればよいことは勿論である。
【００５６】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００５７】
【図１】本実施の形態に係るエレベータ用空調装置が設けられる乗りかごを示す斜視図である。
【図２】本実施の形態に係るエレベータ用空調装置を示す断面図である。
【図３】本実施の形態に係るエレベータ用空調装置の内部の概略構成を示す模式図である。
【図４】本実施の形態に係るドレンパン近傍を示す筐体側面図である。
【図５】本実施の形態に係るエレベータ用空調装置を示す斜視図である。
【図６】変更例１に係るドレンパン近傍を示す筐体側面図である（その１）。
【図７】変更例１に係るエレベータ用空調装置を示す斜視図である。
【図８】変更例１に係るドレンパン近傍を示す筐体側面図である（その２）。
【図９】変更例２に係るドレンパン近傍を示す筐体側面図である。
【図１０】変更例２に係るエレベータ用空調装置を示す斜視図である。
【図１１】変更例３に係るドレンパンのみを示す一部斜視図である。
【図１２】変更例４に係るドレンパン近傍を示す筐体側面図である。
【符号の説明】
【００５８】
１…エレベータ用空調装置、３…乗りかご、５…上部、７…底部、９…側部、１１…ドア、１３…幕板、１５…ブラケット、１７…筐体、１７Ａ…上板、１７Ｂ…底板、１７Ｂ’…ネジ固定板、１７Ｃ…側板、１７Ｃ’…ネジ固定板、１７Ｄ…仕切板、１７ａ，１７ｃ…吸気口、１７ｂ，１７ｄ…排気口、１９…内部機器、２１…蒸発器、２１Ａ…冷風側ファン２１Ａ、２３…圧縮器、２５…減圧装置、２７…凝縮器、２７Ａ…排熱側ファン、２９Ａ…ドレン受け、２９Ｂ…ホース、３１…ドレンパン、３１Ａ…側面、３３…蒸散機、３５…ドレンパン固定板、３７…回転支持手段、３９…角度制限手段、３９Ａ…固定部、３９Ｂ…当接部、３９Ｃ…連結部、４１…開閉支持手段、４３…貫通孔、４５…ドレン水流出手段、４７…検知手段、４７ａ…スイッチ部
【図１】
0004600940.tif 000002
【図２】
0004600940.tif 000003
【図３】
0004600940.tif 000004
【図４】
0004600940.tif 000005
【図５】
0004600940.tif 000006
【図６】
0004600940.tif 000007
【図７】
0004600940.tif 000008
【図８】
0004600940.tif 000009
【図９】
0004600940.tif 000010
【図１０】
0004600940.tif 000011
【図１１】
0004600940.tif 000012
【図１２】
0004600940.tif 000013